【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
ワイヤレス通信システムにおける再選択の方法であって、
ユーザ機器（ＵＥ）において、サービングセルとの接続モードにある間に第１の無線アクセス技術（ＲＡＴ）を介して前記サービングセルからシステム情報メッセージを受信することと、ここにおいて、前記システム情報メッセージが、ネイバーリスト、第２のＲＡＴによるカバレージを示す情報、前記第２のＲＡＴに関するキャリア周波数情報、または前記ＵＥを許容パブリックランドモバイルネットワーク（ＰＬＭＮ）にダイレクトする情報を備える、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから前記第２のＲＡＴを利用するターゲットセルへの再選択を実施することと
を備える方法。
【請求項２】
前記システム情報メッセージがシステム情報ブロック（ＳＩＢ）を備える、請求項１に記載の方法。
【請求項３】
前記ＳＩＢがＳＩＢ１９またはＳＩ２ｑｕａｔｅｒを備える、請求項２に記載の方法。
【請求項４】
前記システム情報メッセージを前記受信することが、ＲＲＣ接続状態中に行われる、請求項１に記載の方法。
【請求項５】
前記遷移を前記開始することが、前記受信されたシステム情報メッセージに応答して接続解放を開始することを備える、請求項１に記載の方法。
【請求項６】
前記遷移を前記開始することが、
前記サービングセルとの無線リンクの無線リンク失敗（ＲＬＦ）を示すことを備える、請求項１に記載の方法。
【請求項７】
前記接続解放を開始するためにシグナリング接続解放指示を送信することをさらに備える、請求項５に記載の方法。
【請求項８】
前記第１のＲＡＴが、２Ｇ  ＲＡＴ、３Ｇ  ＲＡＴ、または４Ｇ  ＲＡＴを備える、請求項１に記載の方法。
【請求項９】
前記第２のＲＡＴが４Ｇ  ＲＡＴを備える、請求項１に記載の方法。
【請求項１０】
前記ワイヤレス通信システムが、前記第１のＲＡＴから前記第２のＲＡＴへのＲＡＴ間ハンドオーバのためのネットワークサポートなしに構成された、請求項１に記載の方法。
【請求項１１】
前記ワイヤレス通信システムが、前記第１のＲＡＴから前記第２のＲＡＴへの前記ＵＥの自律ハンドオーバのためのサポートなしに構成された、請求項１に記載の方法。
【請求項１２】
前記システム情報メッセージを受信することより前から、少なくとも前記再選択を実施することの後まで、現在のパケットデータプロトコル（ＰＤＰ）コンテキストを保存すること
をさらに備える、請求項１に記載の方法。
【請求項１３】
前記アイドルモードへの前記遷移を前記開始することは、前記ＵＥが前記サービングセルからデータを受信するようにスケジュールされている間に行われる、請求項１に記載の方法。
【請求項１４】
前記再選択が非ブラインド試みを備える、請求項１に記載の方法。
【請求項１５】
前記再選択を前記実施することが、前記アイドルモードに遷移した後に敏速に開始する、請求項１に記載の方法。
【請求項１６】
ワイヤレス通信システムにおけるワイヤレス通信のための通信デバイスであって、
少なくとも１つのプロセッサと、
前記少なくとも１つのプロセッサと電子通信しているメモリと
を備え、前記メモリが、前記少なくとも１つのプロセッサによって実行されると、前記デバイスに、
ユーザ機器（ＵＥ）において、サービングセルとの接続モードにある間に第１の無線アクセス技術（ＲＡＴ）を介して前記サービングセルからシステム情報メッセージを受信することと、ここにおいて、前記システム情報メッセージが、ネイバーリスト、第２のＲＡＴによるカバレージを示す情報、前記第２のＲＡＴに関するキャリア周波数情報、または前記ＵＥを許容パブリックランドモバイルネットワーク（ＰＬＭＮ）にダイレクトする情報を備える、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから前記第２のＲＡＴを利用するターゲットセルへの再選択を実施することと
を行わせる命令を記憶した、通信デバイス。
【請求項１７】
前記システム情報メッセージがシステム情報ブロック（ＳＩＢ）を備える、請求項１６に記載の通信デバイス。
【請求項１８】
前記命令が、前記デバイスに、
前記受信されたシステム情報メッセージに応答して接続解放を開始させるように実行可能である、請求項１６に記載の通信デバイス。
【請求項１９】
前記命令が、前記デバイスに、
前記サービングセルとの無線リンクの無線リンク失敗（ＲＬＦ）を示させるように実行可能である、請求項１６に記載の通信デバイス。
【請求項２０】
前記命令が、前記デバイスに、
前記接続解放を開始するためにシグナリング接続解放指示を送信させるように実行可能である、請求項１８に記載の通信デバイス。
【請求項２１】
前記第１のＲＡＴが、２Ｇ  ＲＡＴ、３Ｇ  ＲＡＴ、または４Ｇ  ＲＡＴを備える、請求項１６に記載の通信デバイス。
【請求項２２】
前記第２のＲＡＴが４Ｇ  ＲＡＴを備える、請求項１６に記載の通信デバイス。
【請求項２３】
前記ワイヤレス通信システムが、前記第１のＲＡＴから前記第２のＲＡＴへのＲＡＴ間ハンドオーバのためのサポートなしに構成された、請求項１６に記載の通信デバイス。
【請求項２４】
前記ワイヤレス通信システムが、前記第１のＲＡＴから前記第２のＲＡＴへの前記ＵＥの自律ハンドオーバのためのサポートなしに構成された、請求項１６に記載の通信デバイス。
【請求項２５】
前記再選択が非ブラインド試みを備える、請求項１６に記載の通信デバイス。
【請求項２６】
前記命令が、前記デバイスに、
前記アイドルモードに遷移した後に敏速に前記再選択を開始させるように実行可能である、請求項１６に記載の通信デバイス。
【請求項２７】
ワイヤレス通信システムであって、
ユーザ機器（ＵＥ）において、サービングセルとの接続モードにある間に第１の無線アクセス技術（ＲＡＴ）を介して前記サービングセルからシステム情報メッセージを受信するための手段と、ここにおいて、前記システム情報メッセージが、ネイバーリスト、第２のＲＡＴによるカバレージを示す情報、前記第２のＲＡＴに関するキャリア周波数情報、または前記ＵＥを許容パブリックランドモバイルネットワーク（ＰＬＭＮ）にダイレクトする情報を備える、
前記ＵＥにおいて、前記受信されたシステム情報メッセージに応答して前記サービングセルとの前記接続モードから前記サービングセルとのアイドルモードへの遷移を開始するための手段と、
前記受信されたシステム情報メッセージに応答して前記サービングセルとの前記アイドルモードから前記第２のＲＡＴを利用するターゲットセルへの再選択を実施するための手段と
を備えるワイヤレス通信システム。
【請求項２８】
ワイヤレス通信のためのコードを記憶した非一時的コンピュータ可読媒体であって、前記コードが、
ユーザ機器（ＵＥ）において、サービングセルとの接続モードにある間に第１の無線アクセス技術（ＲＡＴ）を介して前記サービングセルからシステム情報メッセージを受信することと、ここにおいて、前記システム情報メッセージが、ネイバーリスト、第２のＲＡＴによるカバレージを示す情報、前記第２のＲＡＴに関するキャリア周波数情報、または前記ＵＥを許容パブリックランドモバイルネットワーク（ＰＬＭＮ）にダイレクトする情報を備える、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから前記第２のＲＡＴを利用するターゲットセルへの再選択を実施することと
を行うために実行可能な命令を備える、
非一時的コンピュータ可読媒体。
【手続補正２】
【補正対象書類名】明細書
【補正対象項目名】０１１０
【補正方法】変更
【補正の内容】
【０１１０】
[0123]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信システムにおける再選択の方法であって、
ユーザ機器（ＵＥ）において、サービングセルとの接続モードにある間に第１の無線アクセス技術（ＲＡＴ）を介して前記サービングセルからシステム情報メッセージを受信することと、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから第２のＲＡＴを利用するターゲットセルへの再選択を実施することと
を備える方法。
［Ｃ２］
前記システム情報メッセージがシステム情報ブロック（ＳＩＢ）を備える、Ｃ１に記載の方法。
［Ｃ３］
前記ＳＩＢがＳＩＢ１９またはＳＩ２ｑｕａｔｅｒを備える、Ｃ２に記載の方法。
［Ｃ４］
前記システム情報メッセージが、ネイバーリスト、前記第２のＲＡＴによる基礎をなすカバレージを示す情報、前記第２のＲＡＴに関するキャリア周波数情報、または前記ＵＥを許容パブリックランドモバイルネットワーク（ＰＬＭＮ）にダイレクトする情報を備える、Ｃ１に記載の方法。
［Ｃ５］
前記システム情報メッセージを前記受信することが、ＲＲＣ接続状態中に行われる、Ｃ１に記載の方法。
［Ｃ６］
前記遷移を前記開始することが、前記受信されたシステム情報メッセージに応答して接続解放を開始することを備える、Ｃ１に記載の方法。
［Ｃ７］
前記遷移を前記開始することが、
前記サービングセルとの無線リンクの無線リンク失敗（ＲＬＦ）を示すことを備える、Ｃ１に記載の方法。
［Ｃ８］
前記接続解放を開始するためにシグナリング接続解放指示を送信することをさらに備える、Ｃ６に記載の方法。
［Ｃ９］
前記第１のＲＡＴが、２Ｇ  ＲＡＴ、３Ｇ  ＲＡＴ、または４Ｇ  ＲＡＴを備える、Ｃ１に記載の方法。
［Ｃ１０］
前記第２のＲＡＴが４Ｇ  ＲＡＴまたは５Ｇ  ＲＡＴを備える、Ｃ１に記載の方法。
［Ｃ１１］
前記ワイヤレス通信システムが、前記第１のＲＡＴから前記第２のＲＡＴへのＲＡＴ間ハンドオーバのためのサポートなしに構成された、Ｃ１に記載の方法。
［Ｃ１２］
前記ワイヤレス通信システムが、前記第１のＲＡＴから前記第２のＲＡＴへの前記ＵＥの自律ハンドオーバのためのサポートなしに構成するされた、Ｃ１に記載の方法。
［Ｃ１３］
前記システム情報メッセージを受信することより前から、少なくとも前記再選択を実施することの後まで、現在のパケットデータプロトコル（ＰＤＰ）コンテキストを保存すること
をさらに備える、Ｃ１に記載の方法。
［Ｃ１４］
前記アイドルモードへの前記遷移を前記開始することは、前記ＵＥが前記サービングセルからデータを受信するようにスケジュールされている間に行われる、Ｃ１に記載の方法。
［Ｃ１５］
前記再選択が非ブラインド試みを備える、Ｃ１に記載の方法。
［Ｃ１６］
前記再選択を前記実施することが、前記アイドルモードに遷移した後に敏速に開始する、Ｃ１に記載の方法。
［Ｃ１７］
ワイヤレス通信のための通信デバイスであって、
ユーザ機器（ＵＥ）において、サービングセルとの接続モードにある間に第１の無線アクセス技術（ＲＡＴ）を介して前記サービングセルからシステム情報メッセージを受信することと、
前記ＵＥにおいて、前記受信されたシステム情報メッセージに応答して前記サービングセルとの前記接続モードから前記サービングセルとのアイドルモードへの遷移を開始することと、
前記受信されたシステム情報メッセージに応答して前記サービングセルとの前記アイドルモードから第２のＲＡＴを利用するターゲットセルへの再選択を実施することと
を行うように構成された少なくとも１つのプロセッサ
を備える、通信デバイス。
［Ｃ１８］
前記システム情報メッセージがシステム情報ブロック（ＳＩＢ）を備える、Ｃ１７に記載の通信デバイス。
［Ｃ１９］
前記システム情報メッセージが、ネイバーリスト、前記第２のＲＡＴによる基礎をなすカバレージを示す情報、前記第２のＲＡＴに関するキャリア周波数情報、または前記ＵＥを許容パブリックランドモバイルネットワーク（ＰＬＭＮ）にダイレクトする情報を備える、Ｃ１７に記載の通信デバイス。
［Ｃ２０］
前記遷移を前記開始することが、前記受信されたシステム情報メッセージに応答して接続解放を開始することを備える、Ｃ１７に記載の通信デバイス。
［Ｃ２１］
前記遷移を前記開始することが、
前記サービングセルとの無線リンクの無線リンク失敗（ＲＬＦ）を示すことを備える、Ｃ１７に記載の通信デバイス。
［Ｃ２２］
前記少なくとも１つのプロセッサが、
前記接続解放を開始するためにシグナリング接続解放指示を送信する
ようにさらに構成された、Ｃ２０に記載の通信デバイス。
［Ｃ２３］
前記第１のＲＡＴが、２Ｇ  ＲＡＴ、３Ｇ  ＲＡＴ、または４Ｇ  ＲＡＴを備える、Ｃ１７に記載の通信デバイス。
［Ｃ２４］
前記第２のＲＡＴが４Ｇ  ＲＡＴまたは５Ｇ  ＲＡＴを備える、Ｃ１７に記載の通信デバイス。
［Ｃ２５］
前記ワイヤレス通信システムが、前記第１のＲＡＴから前記第２のＲＡＴへのＲＡＴ間ハンドオーバのためのサポートなしに構成された、Ｃ１７に記載の通信デバイス。
［Ｃ２６］
前記ワイヤレス通信システムが、前記第１のＲＡＴから前記第２のＲＡＴへの前記ＵＥの自律ハンドオーバのためのサポートなしに構成された、Ｃ１７に記載の通信デバイス。
［Ｃ２７］
前記再選択が非ブラインド試みを備える、Ｃ１７に記載の通信デバイス。
［Ｃ２８］
前記再選択を前記実施することが、前記アイドルモードに遷移した後に敏速に開始する、Ｃ１７に記載の通信デバイス。
［Ｃ２９］
ワイヤレス通信システムであって、
ユーザ機器（ＵＥ）において、サービングセルとの接続モードにある間に第１の無線アクセス技術（ＲＡＴ）を介して前記サービングセルからシステム情報メッセージを受信するための手段と、
前記ＵＥにおいて、前記受信されたシステム情報メッセージに応答して前記サービングセルとの前記接続モードから前記サービングセルとのアイドルモードへの遷移を開始するための手段と、
前記受信されたシステム情報メッセージに応答して前記サービングセルとの前記アイドルモードから第２のＲＡＴを利用するターゲットセルへの再選択を実施するための手段とを備えるワイヤレス通信システム。
［Ｃ３０］
ワイヤレス通信のためのコンピュータプログラム製品であって、
ユーザ機器（ＵＥ）において、サービングセルとの接続モードにある間に第１の無線アクセス技術（ＲＡＴ）を介して前記サービングセルからシステム情報メッセージを受信するためのコードと、
前記ＵＥにおいて、前記受信されたシステム情報メッセージに応答して前記サービングセルとの前記接続モードから前記サービングセルとのアイドルモードへの遷移を開始するためのコードと、
前記受信されたシステム情報メッセージに応答して前記サービングセルとの前記アイドルモードから第２のＲＡＴを利用するターゲットセルへの再選択を実施するためのコードと
を備える非一時的コンピュータ可読媒体
を備える、コンピュータプログラム製品。